(57)【要約】【課題】錠装置のマーカー部を視認しやすいサッシを提供する。【解決手段】錠装置２０は、縦枠１２に対して固定される本体部２１と、本体部２１に対して回動自在に取付けられる操作部２２と、操作部２２と連動して動作し障子２に対して係合自在な施錠部材２３と、本体部２１に取付けられ施錠部材２３の回動を規制自在な補助施錠部材２４とを有し、補助施錠部材２４は本体部２１の上端から露出し上下方向にスライド自在とされ、錠装置２０は補助施錠部材２４による施錠部材２３の規制状態でのみ露出するマーカー部２５を有し、マーカー部２５は室内側方向と、室内外方向とは異なる少なくともいずれか一方側方向とに向かって露出する。【選択図】図２
2010174545.tif 000002
【特許請求の範囲】
【請求項１】
枠体内に障子を開閉自在に納めてなり、前記枠体を構成する縦枠には閉じた状態の前記障子に対して施錠をなす錠装置が設けられてなるサッシにおいて、
前記錠装置は、前記縦枠に対して固定される本体部と、該本体部に対して回動自在に取付けられる操作部と、該操作部と連動して動作し前記障子に対して係合自在な施錠部材と、前記本体部に取付けられ前記施錠部材の回動を規制自在な補助施錠部材とを有し、該補助施錠部材は前記本体部の上端から露出し上下方向にスライド自在とされ、
前記錠装置は前記補助施錠部材による前記施錠部材の規制状態でのみ露出するマーカー部を有し、該マーカー部は室内側方向と、室内外方向とは異なる少なくともいずれか一方側方向とに向かって露出することを特徴とするサッシ。
【請求項２】
前記マーカー部は前記本体部の上端から上方に突出するように設けられて、前記補助施錠部材が前記施錠部材を規制した状態で前記補助施錠部材の上面よりも突出して露出することを特徴とする請求項１記載のサッシ。
【請求項３】
前記マーカー部は前記本体部の上端のうち室外端部に設けられると共に、前記補助施錠部材の上面の室外側に配置されることを特徴とする請求項２記載のサッシ。
【請求項４】
前記マーカー部は前記本体部の上面のうち中央領域に設けられ、前記補助施錠部材は前記マーカー部を挿通する孔部を有することを特徴とする請求項２記載のサッシ。
【請求項５】
前記マーカー部は前記補助施錠部材に上面よりも下部の少なくとも２面に渡って設けられ、前記本体部は前記補助施錠部材のスライドに伴って前記マーカー部が露出するマーカー窓部を少なくとも２面に渡って有することを特徴とする請求項１記載のサッシ。
【発明の詳細な説明】
【技術分野】
【０００１】
本発明は、枠体内に障子を開閉自在に納めてなるサッシに関し、特に障子を施錠する施錠部材を有した錠装置が枠体の縦枠に設けられると共に、施錠部材をロックする補助施錠部材の状態を視認可能なマーカー部を有したサッシに関する。
【背景技術】
【０００２】
従来、建物開口部に取付けられる枠体内に障子を開閉自在に納めたサッシが知られている。サッシにおいては、障子を施錠するため、枠体または障子に錠装置が設けられる。錠装置は、枠体または框体に取付けられる本体部と、本体部に対して回動自在に取付けられた操作部と、操作部に連動して回動し障子に対して係脱自在な施錠部材とを有している。
【０００３】
また、施錠状態にある施錠部材をさらにロックするために、本体部には補助施錠部材も設けられる。補助施錠部材は、本体部に対してスライド自在に設けられ、スライドに伴って施錠状態にある施錠部材に対して係脱し、これによって施錠部材のロック及びロック解除をなすようにしている。
【０００４】
補助施錠部材は、本体部に対してスライドすることで施錠部材に対するロック及びロック解除状態を切替えるため、そのままではいずれの状態にあるかを視認することが困難である。このため、補助施錠部材がスライドしてロック状態となることで露出するマーカー部を設けることが知られている。マーカー部は錠装置の本体部とは異なる色彩を有し、例えば本体部が黒色のときにマーカー部を緑色とすることで、補助施錠部材がロック状態となると緑色のマーカー部が露出して、その状態を視認することができる。このようなマーカー部を備えた錠装置を有するサッシとしては、例えば特許文献１に挙げるようなものがある。
【先行技術文献】
【特許文献】
【０００５】
【特許文献１】特開２００８−２３１８１１号公報
【発明の概要】
【発明が解決しようとする課題】
【０００６】
しかし、従来のサッシにおいては、錠装置のマーカー部が室内側の正面に向かってのみ露出するように設けられていた。このため、錠装置を室内側の正面から見なければ、補助施錠部材の状態を確実に視認することができなかった。枠体に対し障子が室内外方向に開閉自在とされる開き窓のサッシにおいては、錠装置が左右の縦枠に取付けられるため、特に左右方向に大きい窓では、障子の開閉を行う際に縦枠の正面側に回り込んで補助施錠部材の状態を確認しなければならず、不便なものとなっていた。
【０００７】
本発明は前記課題を鑑みてなされたものであり、錠装置のマーカー部を視認しやすいサッシを提供することを目的とする。
【課題を解決するための手段】
【０００８】
前記課題を解決するため、本発明に係るサッシは、枠体内に障子を開閉自在に納めてなり、前記枠体を構成する縦枠には閉じた状態の前記障子に対して施錠をなす錠装置が設けられてなるサッシにおいて、
前記錠装置は、前記縦枠に対して固定される本体部と、該本体部に対して回動自在に取付けられる操作部と、該操作部と連動して動作し前記障子に対して係合自在な施錠部材と、前記本体部に取付けられ前記施錠部材の回動を規制自在な補助施錠部材とを有し、該補助施錠部材は前記本体部の上端から露出し上下方向にスライド自在とされ、
前記錠装置は前記補助施錠部材による前記施錠部材の規制状態でのみ露出するマーカー部を有し、該マーカー部は室内側方向と、室内外方向とは異なる少なくともいずれか一方側方向とに向かって露出することを特徴として構成されている。
【０００９】
また、本発明に係るサッシは、前記マーカー部は前記本体部の上端から上方に突出するように設けられて、前記補助施錠部材が前記施錠部材を規制した状態で前記補助施錠部材の上面よりも突出して露出することを特徴として構成されている。
【００１０】
さらに、本発明に係るサッシは、前記マーカー部は前記本体部の上端のうち室外端部に設けられると共に、前記補助施錠部材の上面の室外側に配置されることを特徴として構成されている。
【００１１】
さらにまた、本発明に係るサッシは、前記マーカー部は前記本体部の上面のうち中央領域に設けられ、前記補助施錠部材は前記マーカー部を挿通する孔部を有することを特徴として構成されている。
【００１２】
そして、本発明に係るサッシは、前記マーカー部は前記補助施錠部材に上面よりも下部の少なくとも２面に渡って設けられ、前記本体部は前記補助施錠部材のスライドに伴って前記マーカー部が露出するマーカー窓部を少なくとも２面に渡って有することを特徴として構成されている。
【発明の効果】
【００１３】
本発明に係るサッシによれば、錠装置は補助施錠部材による施錠部材の規制状態でのみ露出するマーカー部を有し、マーカー部は室内側方向と、室内外方向とは異なる少なくともいずれか一方側方向とに向かって露出することにより、マーカー部を室内側正面側や室内側左右方向から視認することができ、施錠部材がロック状態にあることを容易に判別することができる。
【００１４】
また、本発明に係るサッシによれば、マーカー部は本体部の上端から上方に突出するように設けられて、補助施錠部材が施錠部材を規制した状態で補助施錠部材の上面よりも突出して露出することにより、室内側の広い範囲からマーカー部を視認することができる。
【００１５】
さらに、本発明に係るサッシによれば、マーカー部は本体部の上端のうち室外端部に設けられると共に、補助施錠部材の上面の室外側に配置されることにより、補助施錠部材を上方にスライドさせることで、マーカー部が補助施錠部材によって室内側から見て完全に隠れた状態となるので、施錠状態のより確実な判別をなすことができる。
【００１６】
さらにまた、本発明に係るサッシによれば、マーカー部は本体部の上面のうち中央領域に設けられ、補助施錠部材はマーカー部を挿通する孔部を有することにより、室内側の広い範囲からマーカー部を視認することができる。
【００１７】
そして、本発明に係るサッシによれば、マーカー部は補助施錠部材に上面よりも下部の少なくとも２面に渡って設けられ、本体部は補助施錠部材のスライドに伴ってマーカー部が露出するマーカー窓部を少なくとも２面に渡って有することにより、室内側の広い範囲からマーカー部を視認することができる。
【図面の簡単な説明】
【００１８】
【図１】サッシの縦断面図である。
【図２】施錠状態でかつ施錠部材がロックされた状態における錠装置の斜視図である。
【図３】錠装置の内部構造を含む背面図である。
【図４】図３のＡ−Ａ断面図である。
【図５】施錠部材が施錠位置にある状態から解錠位置に至る途中の状態における錠装置の内部機構の状態を表した背面図である。
【図６】施錠部材の解錠位置となった状態における錠装置の内部機構の状態を表した背面図である。
【図７】施錠部材がロック解除された状態における錠装置の斜視図である。
【図８】施錠部材の本体部内における支持構造について表した斜視図である。
【図９】第２の実施形態における錠装置の斜視図である。
【図１０】第２の実施形態における錠装置の断面図である。
【図１１】施錠部材がロック解除された状態における錠装置の斜視図である。
【図１２】第３の実施形態における錠装置の斜視図である。
【図１３】第３の実施形態における錠装置の正面図である。
【図１４】補助施錠部材をロック解除状態とした際の錠装置の正面図である。
【発明を実施するための形態】
【００１９】
本発明の実施形態について、図面に沿って詳細に説明する。図１には、サッシの縦断面図を示している。この図に示すようにサッシは、上枠１０と下枠１１及び縦枠１２を方形状に枠組みしてなる枠体１内に障子２を室内外方向に開閉自在となるように納めて構成されている。障子２は、図１において上框と下框が簡略化されて示されているが、枠体１に対し縦辺を軸に辷り出し状に開閉するものであって、この障子２と枠体１とで縦辷り出し窓を構成している。
【００２０】
縦枠１２には上下２か所に錠装置２０が取付けられている。錠装置２０は、それぞれ障子２が閉じた状態において、障子２を施錠する機能を有している。この錠装置２０が上下２か所に設けられていることにより、障子２を安定的に施錠することができる。
【００２１】
下側の錠装置２０は、障子２に設けられた係合部材２ａに対して直接係脱し、施錠状態と施錠解除状態を切替えることができる。一方、上側の錠装置２０は、縦枠１２の長手方向にスライド自在なスライドプレート１３に対して係脱し、スライドプレート１３は障子２の上端近傍に設けられた係合部材２ａに対して係脱する。すなわち、上側の錠装置２０は、縦方向にスライド自在なスライドプレート１３を介して障子２に対し係脱し、施錠状態と施錠解除状態を切替えることができる。これによって、上側の錠装置２０を障子２の上端よりも低い位置に設けることができ、施錠操作を容易にすることができる。
【００２２】
以下、主に上側の錠装置２０について説明するが、下側の錠装置２０も概ね同様の構成を有している。図２には施錠状態でかつ施錠部材２３がロックされた状態における錠装置２０の斜視図を、図３には錠装置２０の内部構造を含む背面図を、図４には図３のＡ−Ａ断面図を、それぞれ示している。
【００２３】
図２に示すように、錠装置２０は、縦枠１２に対して固定される本体部２１と、本体部２１に対して所定範囲で回動自在に取付けられた操作部２２と、本体部２１から室外側に突出し操作部２２の回動に連動して回動自在な施錠部材２３とを有して構成されている。また、本体部２１内には施錠部材２３をロックすることのできる補助施錠部材２４が納められ、補助施錠部材２４は上面２４ａが本体部２１の上面よりも突出し露出している。
【００２４】
図２及び図３に示すように、本体部２１の上端室外端部であって補助施錠部材２４の上面２４ａより室外側には、突出状のマーカー部２５が形成されている。マーカー部２５は、本体部２１や補助施錠部材２４とは異なる色彩を有しており、補助施錠部材２４が施錠部材２３をロックした状態において、補助施錠部材２４の上面２４ａよりも上方にまで突出するように形成されている。また、マーカー部２５は、室内側を向く面が幅広状となり、枠体１の見付面に向く面が幅狭状となる略平板状に形成されている。
【００２５】
マーカー部２５はこのような構成を有しているので、補助施錠部材２４が施錠部材２３をロックした状態において、室内側及び枠体１の見付方向両側にそれぞれ面した状態で露出している。これによって、マーカー部２５は錠装置２０の室内側正面側や室内側左右方向から視認することができ、施錠部材２３がロック状態にあることを容易に判別することができる。特に、マーカー部２５は室内側に向く面が幅広状に形成されているので、室内側の広い範囲の方向から確実に視認することができる。
【００２６】
図３に示すように、補助施錠部材２４は本体部２１内における上下方向中間位置に凸状の係合部２４ｂを有し、施錠部材２３に形成された凹状の被係合部２３ａに対して係合してロック状態とする。この状態では、施錠部材２３は回動することができず、操作部２２も回動させることができなくなる。補助施錠部材２４を上方にスライドさせることで、係合部２４ｂの被係合部２３ａに対する係合状態は解除され、施錠部材２３が回動可能な状態となる。
【００２７】
図４に示すように、補助施錠部材２４は、下端部に係止部２４ｃが形成されており、また本体部２１内においてばね２６を介してスライド自在とされている。補助施錠部材２４を上方にスライドさせて施錠部材２３に対するロックを解除すると、ばね２６は収縮して補助施錠部材２４を下方に付勢する。また、そのときに係止部２４ｃは本体部２１の支持部２１ａに係合し、ばね２６の付勢に対抗してロック解除状態を維持することができる。
【００２８】
また、図４に示すように、補助施錠部材２４には、施錠部材２３の回動に伴い上下にそれぞれ押圧される上当接面２４ｅ及び下当接面２４ｆが形成されている。図５及び図６には、それぞれ施錠部材２３の回動に伴う錠装置２０の内部機構の状態を表した背面図を示している。なお、これら各図では操作部２２は省略している。
【００２９】
図５は、図３に示す施錠部材２３が施錠位置にある状態から解錠位置に至る途中の状態を示している。施錠部材２３には、被係合部２３ａに隣接して突出状の上支持部２３ｂが形成されると共に、上支持部２３ｂとは回転軸を挟んで反対側位置にも突出状の下押圧部２３ｃが形成されている。
【００３０】
図３の状態から施錠部材２３を回動させると、下押圧部２３ｃは補助施錠部材２４の下当接面２４ｆに当接し、回動に伴って下当接面２４ｆを下方に押圧する。これによって、補助施錠部材２４の係止部２４ｃによる本体部２１の支持部２１ａに対する係合状態が解除される。一方で、補助施錠部材２４の上当接面２４ｅが施錠部材２３の上支持部２３ｂによって支持されるので、補助施錠部材２４はばね２６の付勢に対抗して、この段階ではロック解除状態を維持する。
【００３１】
図６は、図５の状態からさらに施錠部材２３を回動させ、施錠部材２３の解錠位置となった状態を示している。この状態においても、施錠部材２３の上支持部２３ｂは補助施錠部材２４の上当接面２４ｅを支持した状態となっているので、補助施錠部材２４はそのままの位置を維持する。
【００３２】
図６の状態から施錠部材２３を施錠位置に向けて回動させると、再び図５の状態となり、施錠部材２３の上支持部２３ｂは補助施錠部材２４の上当接面２４ｅを支持する一方、施錠部材２３の下押圧部２３ｃは補助施錠部材２４の下当接面２４ｆを下方に押圧した状態となる。このため、補助施錠部材２４の係止部２４ｃは本体部２１の支持部２１ａに対する係合が解除されたまま、施錠部材２３が回動することとなる。そのまま施錠部材２３を施錠位置まで回動させると、上支持部２３ｂによる上当接面２４ｅの支持が解除されるので、ばね２６の付勢により補助施錠部材２４は下方にスライドし、補助施錠部材２４による施錠部材２３のロック状態となる。
【００３３】
このように、本実施形態の錠装置２０においては、解錠状態から施錠状態に操作を行うと、自動的に補助施錠部材２４による施錠部材２３のロックがなされるように構成している。ここで、ばね２６を設けないことにより、自動的にロックがなされることがなく、手動でロックを行う機構としてもよい。
【００３４】
図７には、施錠部材２３がロック解除された状態における錠装置２０の斜視図を示している。なお、この図は操作部２２を回動させて施錠部材２３による施錠を解除した状態となっている。図７に示すように、補助施錠部材２４を上方にスライドさせると、本体部２１の室外端部に設けられたマーカー部２５は、補助施錠部材２４によって隠された状態となる。これによって、マーカー部２５は室内側から視認されない状態となるので、施錠部材２３がロック解除されたことを容易に判別することができる。
【００３５】
図８には、施錠部材２３の本体部２１内における支持構造について表した斜視図を示している。この図に示すように、本体部２１内には、施錠部材２３を回動自在に支持すると共に、本体部２１を縦枠１２に固定するビスを挿通させるビス挿通孔３１を備えた金属材からなる支持部材３０が設けられる。
【００３６】
支持部材３０は、上下端部にそれぞれビス挿通孔３１を有する取付部３０ａを備え、取付部３０ａ間は薄板状に形成されると共に、中間位置には室内側に向かって伸びる軸支部３０ｂを有する。軸支部３０ｂには、軸部材３２が回転自在となるように挿通され、さらに軸部材３２は施錠部材２３に対して固定される。これにより、施錠部材２３は支持部材３０に対して回動自在に支持される。
【００３７】
このように、施錠部材２３を回動自在に支持すると共に本体部２１を縦枠１２に固定するビスを挿通させる支持部材３０が、一部材からなる金属材で構成されているので、火災が発生した場合などに樹脂材からなる本体部２１が溶融して脱落しても、支持部材３０は縦枠１２に固定されたままとなるので、施錠部材２３が脱落することがなく、火災時におけるサッシの防火性を高くすることができる。
【００３８】
マーカー部２５の構成については、他の形態を採ることもできる。図９には、第２の実施形態における錠装置２０の斜視図を示している。本形態におけるサッシの態様は、図１に示したものと同じであり、錠装置２０の構成のみが異なるため、サッシ全体についての説明は省略する。また、図９は施錠状態でかつ施錠部材２３がロックされた状態の錠装置２０を示している。
【００３９】
図９に示すように、本実施形態において錠装置２０は、第１の実施形態と同様に本体部２１と操作部２２、施錠部材２３及び補助施錠部材２４を備えている。そして、本体部２１は、上端にマーカー部２５を備えている。マーカー部２５は、本体部２１の上面における中央領域に配置されており、補助施錠部材２４の上面２４ａから突出している。そのために、補助施錠部材２４の上面２４ａには、マーカー部２５を挿通させる孔部２４ｄが形成されている。
【００４０】
図１０には、第２の実施形態における錠装置２０の断面図を示している。この図に示すように、マーカー部２５は、本体部２１の上面から上方に突出するように形成されている。また、図９に示すように、マーカー部２５の形状は第１の実施形態と同様であって、室内側を向く面が幅広状となり、枠体１の見付面に向く面が幅狭状となる略平板状に形成されている。
【００４１】
このように、マーカー部２５を本体部２１の上面における中央領域に配置したことによっても、補助施錠部材２４が施錠部材２３をロックした状態において、マーカー部２５は室内側及び枠体１の見付方向両側にそれぞれ面した状態で露出することとなる。したがって、マーカー部２５を錠装置２０の室内側正面側のみならず室内側斜め方向からも視認することができ、施錠部材２３がロック状態にあることを容易に判別することができる。
【００４２】
図１１には、施錠部材２３がロック解除された状態における錠装置２０の斜視図を示している。なお、この図は操作部２２を回動させて施錠部材２３による施錠を解除した状態となっている。図１１に示すように、補助施錠部材２４を上方にスライドさせると、本体部２１の室外端部に設けられたマーカー部２５は、補助施錠部材２４の孔部２４ｄの奥に隠れた状態となる。これによって、マーカー部２５は室内側から視認されない状態となるので、施錠部材２３がロック解除されたことを容易に判別することができる。
【００４３】
さらに、異なる形態のマーカー部２５について説明する。図１２には、第３の実施形態における錠装置２０の斜視図を示している。本形態におけるサッシの態様は、図１に示したものと同じであり、錠装置２０の構成のみが異なるため、サッシ全体についての説明は省略する。また、図１２は施錠状態でかつ施錠部材２３がロックされた状態の錠装置２０を示している。
【００４４】
図１２に示すように、本実施形態において錠装置２０は、第１の実施形態と同様に本体部２１と操作部２２、施錠部材２３及び補助施錠部材２４を備えている。マーカー部２５は、本形態においては補助施錠部材２４の上面よりも下部の側面に設けられている。補助施錠部材２４の上面よりも下部は、本体部２１により覆われているので、本体部２１の側面には、マーカー部２５を露出させるためのマーカー窓部２７が形成されている。
【００４５】
マーカー部２５は、補助施錠部材２４の２面に渡って設けられている。すなわち、補助施錠部材２４のうち室内側面と、それに直交する見付方向面であって操作部２２が設けられる側の面に、それぞれマーカー部２５が形成されている。それに対応して、本体部２１にも室内側面と、それに直交する見付方向面であって操作部２２が設けられる側の面に、それぞれマーカー窓部２７が形成されている。
【００４６】
図１３には、第３の実施形態における錠装置２０の正面図を示している。この図に示すように、マーカー部２５は補助施錠部材２４の上下２か所にそれぞれ設けられ、それに対応してマーカー窓部２７も本体部２１の上下２か所に設けられている。図１３では、いずれのマーカー部２５もマーカー窓部２７の位置にあって露出した状態となっている。
【００４７】
図１４には、補助施錠部材２４をロック解除状態とした際の錠装置２０の正面図を示している。この図に示すように、補助施錠部材２４を上方にスライドさせて施錠部材２３のロック状態を解除すると、補助施錠部材２４のマーカー部２５も上方に移動し、本体部２１のマーカー窓部２７の位置から外れるので、本体部２１によってマーカー部２５が隠された状態となり、マーカー部２５が室内側から視認されない状態となるので、施錠部材２３がロック解除されたことを容易に判別することができる。
【００４８】
マーカー部２５は、補助施錠部材２４のスライド長よりも若干小さいスライド方向長さを有するように形成されており、またマーカー窓部２７はマーカー部２５と略同じ大きさを有するように形成されているので、補助施錠部材２４をスライドさせることにより、マーカー部２５は本体部２１に完全に隠れた状態となって、補助施錠部材２４のロック状態を確実に視認することができる。
【００４９】
また、マーカー部２５は補助施錠部材２４の室内側面と、それに直交する見付方向面であって操作部２２が設けられる側の面に形成されて、それぞれマーカー窓部２７から露出するので、マーカー部２５を錠装置２０の室内側正面側のみならず斜め方向からも視認することができ、施錠部材２３がロック状態にあることを容易に判別することができる。
【００５０】
本形態の錠装置２０において、マーカー窓部２７は本体部２１の２面にそれぞれ形成されているが、マーカー窓部２７を本体部２１の角部を含む２面に連続状となるように設け、補助施錠部材２４のマーカー部２５もそれに対応して角部を含む２面に連続状に形成することで、室内側の広い範囲からマーカー部２５を容易に視認できるようにしてもよい。
【００５１】
以上、本発明の実施形態について説明したが、本発明の適用は本実施形態には限られず、その技術的思想の範囲内において様々に適用されうるものである。
【符号の説明】
【００５２】
１    枠体
２    障子
２ａ  係合部材
１０    上枠
１１    下枠
１２    縦枠
１３    スライドプレート
２０    錠装置
２１    本体部
２１ａ  支持部
２２    操作部
２３    施錠部材
２３ａ  被係合部
２４    補助施錠部材
２４ａ  上面
２４ｂ  係合部
２４ｃ  係止部
２４ｄ  孔部
２５    マーカー部
２６    ばね
２７    マーカー窓部
【図１】
2010174545.tif 000003
【図２】
2010174545.tif 000004
【図３】
2010174545.tif 000005
【図４】
2010174545.tif 000006
【図５】
2010174545.tif 000007
【図６】
2010174545.tif 000008
【図７】
2010174545.tif 000009
【図８】
2010174545.tif 000010
【図９】
2010174545.tif 000011
【図１０】
2010174545.tif 000012
【図１１】
2010174545.tif 000013
【図１２】
2010174545.tif 000014
【図１３】
2010174545.tif 000015
【図１４】
2010174545.tif 000016